(57)【要約】【課題】セキュリティ性が高く、真贋判定を容易に効率よく実施できるセキュリティ媒体及びセキュリティ媒体読取装置を提供する。【解決手段】シート状基材２０と、シート状基材２０の少なくとも片面の周縁部の一部又は全部に設けられ、コードパターンが形成され、特定の磁化特性を有し所望の情報を磁気により記憶するアモルファス強磁性体層３１と、アモルファス強磁性体層３１の上にホログラムを形成するホログラム形成層３２と、アモルファス強磁性体層３１を隠蔽する着色層３３とを備える。【選択図】図１
2007299245.tif 000002
【特許請求の範囲】
【請求項１】
シート状基材と、
前記シート状基材の少なくとも片面に形成され、特定の磁化特性を有し、所望の情報を磁気により記憶するアモルファス強磁性体層と、
を備えるセキュリティ媒体。
【請求項２】
請求項１に記載のセキュリティ媒体において、
前記アモルファス強磁性体層は、コードパターンが形成されていること、
を特徴とするセキュリティ媒体。
【請求項３】
請求項２に記載のセキュリティ媒体において、
前記コードパターンは、基材情報及び／又は金種情報であること、
を特徴とするセキュリティ媒体。
【請求項４】
請求項１から請求項３までのいずれか１項に記載のセキュリティ媒体において、
前記アモルファス強磁性体層は、前記シート状基材の周縁部の一部又は全部に形成されていること、
を特徴とするセキュリティ媒体。
【請求項５】
請求項１から請求項４までのいずれか１項に記載のセキュリティ媒体において、
前記アモルファス強磁性体層は、５００〜５０００Åの厚みの薄膜であること、
を特徴とするセキュリティ媒体。
【請求項６】
請求項１から請求項５までのいずれか１項に記載のセキュリティ媒体において、
前記アモルファス強磁性体層の上にホログラムを形成するホログラム形成層を備えること、
を特徴とするセキュリティ媒体。
【請求項７】
請求項１から請求項６までのいずれか１項に記載のセキュリティ媒体において、
前記アモルファス強磁性体層を隠蔽する着色層を備えること、
を特徴とするセキュリティ媒体。
【請求項８】
請求項１から請求項７までのいずれか１項に記載の複数枚のセキュリティ媒体を束ね、前記アモルファス強磁性体層の所望の情報及び／又はコードパターンを前記セキュリティ媒体の側面から読み出す読取手段を備えること、
を特徴とするセキュリティ媒体読取装置。
【発明の詳細な説明】
【技術分野】
【０００１】
本発明は、アモルファス強磁性体層を備えたセキュリティ媒体及びセキュリティ媒体読取装置に関するものである。
【背景技術】
【０００２】
商品券、ギフト券などの金券は、その価値から偽造防止機能が必要とされており、基材（券）上にさまざまな対策が施されている（例えば、特許文献１）。
特許文献１は、真贋判定を容易に行なえるように、表面にホログラム層を備えた金券を開示している。このような金券は、真贋判定は容易に行なえるが、偽造対策としては完全ではない。また、金券が多数あるときは、真贋判定を即座に行なうことが困難であるという問題がある。
【特許文献１】特開平０７−２８５２８６号公報
【発明の開示】
【発明が解決しようとする課題】
【０００３】
本発明の課題は、セキュリティ性が高く、真贋判定を容易に効率よく実施できるセキュリティ媒体及びセキュリティ媒体読取装置を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、シート状基材（２０）と、前記シート状基材（２０）の少なくとも片面に形成され、特定の磁化特性を有し、所望の情報を磁気により記憶するアモルファス強磁性体層（３１）とを備えるセキュリティ媒体（１０）である。
【０００５】
請求項２の発明は、請求項１に記載のセキュリティ媒体（１０）において、前記アモルファス強磁性体層（３１）は、コードパターンが形成されていることを特徴とするセキュリティ媒体（１０）である。
【０００６】
請求項３の発明は、請求項２に記載のセキュリティ媒体（１０）において、前記コードパターンは、基材情報及び／又は金種情報であることを特徴とするセキュリティ媒体（１０）である。
【０００７】
請求項４の発明は、請求項１から請求項３までのいずれか１項に記載のセキュリティ媒体（１０）において、前記アモルファス強磁性体層（３１）は、前記シート状基材（２０）の周縁部の一部又は全部に形成されていることを特徴とするセキュリティ媒体（１０）である。
【０００８】
請求項５の発明は、請求項１から請求項４までのいずれか１項に記載のセキュリティ媒体（１０）において、前記アモルファス強磁性体層（３１）は、５００〜５０００Åの厚みの薄膜であることを特徴とするセキュリティ媒体（１０）である。
【０００９】
請求項６の発明は、請求項１から請求項５までのいずれか１項に記載のセキュリティ媒体（１０）において、前記アモルファス強磁性体層（３１）の上にホログラムを形成するホログラム形成層（３２）を備えることを特徴とするセキュリティ媒体（１０）である。
【００１０】
請求項７の発明は、請求項１から請求項６までのいずれか１項に記載のセキュリティ媒体（１０）において、前記アモルファス強磁性体層（３１）を隠蔽する着色層（３３）を備えることを特徴とするセキュリティ媒体（１０）である。
【００１１】
請求項８の発明は、請求項１から請求項７までのいずれか１項に記載の複数枚のセキュリティ媒体（１０）を束ね、前記アモルファス強磁性体層（３１）の所望の情報及び／又はコードパターンを前記セキュリティ媒体の側面から読み出す読取手段（４１）を備えることを特徴とするセキュリティ媒体読取装置（４０）である。
【発明の効果】
【００１２】
以上説明したように、本発明によれば、以下のような効果がある。
（１）シート状基材は、その片面にアモルファス強磁性体層を備えているので、特定の磁化特性により所望の情報を記憶させることができ、セキュリティ媒体の偽造を防止することができる。
（２）アモルファス強磁性体層は、コードパターンが形成されているので、セキュリティ媒体を、用途に合わせて多彩に活用することができる。
（３）コードパターンは、基材情報及び／又は金種情報を記録するので、高いセキュリティ性を必要とする紙幣などの金券に利用することができる。
（４）アモルファス強磁性体層は、シート状基材の周縁部の一部又は全部に形成されているので、所望の情報及び／又はコードパターンの情報をシート状基材の側面から読み取ることができる。
（５）アモルファス強磁性体層は、５００〜５０００Åの厚みの薄膜であるので、所望の情報及び／又はコードパターンを最適に読み取ることができる。
（６）アモルファス強磁性体層の上にホログラム形成層を備えているので、セキュリティ媒体は、目視による真贋判定を行なうことができ、セキュリティ性を向上させることができる。
（７）セキュリティ媒体は、着色層を備えているので、アモルファス強磁性体層を隠蔽することができる。
（８）セキュリティ媒体読取装置は、セキュリティ媒体を複数枚束ね、その側面を読み出す読取手段を備えているので、効率よく複数枚のセキュリティ媒体の情報を読み取り、効率よく真贋判定をすることができる。
【発明を実施するための最良の形態】
【００１３】
本発明は、セキュリティ性が高く、真贋判定を容易に効率よく実施できるセキュリティ媒体及びセキュリティ媒体読取装置を提供するという目的を、シート状基材の周縁部にアモルファス強磁性体層を設けることにより実現する。
【実施例】
【００１４】
以下、図面等を参照して、本発明の実施例をあげて、さらに詳しく説明する。
図１は、本発明による実施例のセキュリティ媒体を示す模式図であり、図１（Ａ）は、平面図、図１（Ｂ）は、側面図、図１（Ｃ）は、図１（Ｂ）のＡ部の詳細図である。また、図２は、セキュリティ媒体及びそれを読み取る磁気ヘッドを示す図であり、図３は、アモルファス合金材及びフェライト材のＢ−Ｈ磁化特性曲線を示す図である。
セキュリティ媒体１０は、図１に示すように、シート状基材２０の表面に、転写体３０を備えている偽造防止機能を有した商品券（○○デパート券、￥５，０００）である。
シート状基材２０は、上質紙で形成されたセキュリティ媒体１０の基材である。
【００１５】
転写体３０は、アモルファス強磁性体層３１、ホログラム形成層３２、着色層３３、接着層３４及び剥離保護層３５を備え、シート状基材２０の表面に熱転写により形成された層の集合体であり、シート状基材２０の長辺部に転写体３０−１を、短辺部に転写体３０−２を備えている。なお、必要に応じて、長辺部の転写体３０−１と関連する部位は、各部位番号の末尾に統一した符号（−１）を付して、また、短辺部の転写体３０−２と関する部位は、符号（−２）を付して説明を適宜省略する。例えば、長辺部のアモルファス強磁性体層３１は、アモルファス強磁性体層３１−１と必要に応じて標記する。
【００１６】
アモルファス強磁性体層３１は、アモルファス合金材により形成され、真贋判定などに用いる情報を磁気データにして記憶する薄膜層である。アモルファス強磁性体層３１の膜厚は、５００〜５０００Åが好ましく、１５００〜３０００Åがさらに好ましい。この範囲外であると、磁気の出力不足や転写性及び耐擦性の低下などの問題が発生する。本実施例では、膜厚１５００Åの薄膜層を使用している。また、アモルファス強磁性体層３１は、図１（Ｃ）に示すように、デメタライズ法などによりコードパターンが形成されており、アモルファス強磁性体層３１−１のコードパターンにはセキュリティ媒体１０の商品券の種類（○○デパート券）の情報を記録し、アモルファス強磁性体層３１−２には商品券の金額（￥５，０００）の情報が記録されている。
【００１７】
アモルファス強磁性体層３１に用いられるアモルファス合金材は、加熱、切断などにより、透磁率や飽和磁化特性が変化する性質を有した磁性材料である。また、図３に示すように、磁性材として一般的なフェライト材の磁化特性と比較すると、フェライト材がＳ字型のヒステリシス曲線（Ｆｅ）を示すのに対し、アモルファス合金材は矩形のようなヒステリシス（Ａｍ）を示し、低強度の振動磁界により急峻に磁化反転を繰り返す性質（大バルクハウゼン現象）も有している。これらの性質を用いて、アモルファス強磁性体層３１に、真贋判定などに用いる情報を記憶し、また、読み出すことができる。更に、アモルファス合金材は、配合する材料を変化させることにより、性質を変更することができる。本実施例では、一般市場の入手が困難である材料を配合し、アモルファス強磁性体層３１の形成においても特殊な装置を必要とさせることにより、偽造防止の効果を高めている。
【００１８】
ホログラム形成層３２は、図１に示すように、レーザ光線を使用して立体画像３２Ａを記録した層であり、光を当てることにより、立体画像３２Ａを再生することができ、目視による真贋判定を可能にしている。
着色層３３は、アモルファス強磁性体層３１を外部から隠蔽するための印刷層であり、図１（Ａ）に示すように、転写体３０のホログラム形成層３２の立体画像３２Ａ−１、３２Ａ−２以外の領域を着色層３３により隠蔽している。
接着層３４は、加熱することにより溶融するヒートシール層であり、転写体３０をシート状基材２０と貼り合せる。
剥離保護層３５は、転写体３０の表面を保護する層である。また、転写体３０がシート状基材２０に転写される前には、剥離保護層３５の表面に樹脂基材（図示せず）が貼り付けられており、転写時にその樹脂基材を介して転写体３０を加熱してシート状基材２０に熱転写し、転写後に樹脂基材を剥離し、剥離保護層３５が転写体３０の表面を保護する。
【００１９】
磁気ヘッド４０は、図２に示すように、検出コイル部４１、励磁コイル部４２、制御部４３及び表示部４４を備えており、アモルファス強磁性体層３１の磁気データ及びパターンコードを読み取る検出器である（セキュリティ媒体読取装置）。
検出コイル部４１は、アモルファス強磁性体層３１から発生する磁束の変化を検出するソレノイドコイル４１−Ａと、その検出データを増幅して出力する増幅器４１−Ｂとを備えている（読取手段）。
励磁コイル部４２は、アモルファス強磁性体層３１に交番励磁磁界を印加するソレノイドコイル４２−Ａと、ソレノイドコイル４２−Ａに交番励磁磁界を発生させる交番励磁電流を流すアンプ４２−Ｂとを備えている。
【００２０】
制御部４３は、励磁コイル部４２のソレノイドコイル４２−Ａに所定の交番励磁電流を流すための指令信号をアンプ４２−Ｂに出力し、アモルファス強磁性体層３１から発生する磁束の変化を検出した検出コイル部４１のソレノイドコイル４１−Ａの検出結果を増幅器４１−Ｂを介して入力する磁気ヘッド全体を統括制御する制御回路である。
表示部４４は、検出コイル部４１により検出した結果を、制御部４３を介して表示する表示モニタである。
【００２１】
続いて、本実施例の磁気ヘッドによるセキュリティ媒体の読込方法について説明する。図４は、励磁コイル部及び検出コイル部の励磁及び検出データの一例を示す図である。図４（Ａ）は、励磁コイル部により発生する交番励磁磁界の時系列データを示す図であり、図４（Ｂ）は、交番励磁磁界によるアモルファス強磁性体層の磁束の変化を検出コイル部により検出した検出結果の時系列データを示す図である。
複数枚のセキュリティ媒体１０を、図２に示すように、転写体３０の向きを一定にして束ねる。磁気ヘッド４０の制御部４３は、電源が投入されると、励磁コイル部４２のソレノイドコイル４２−Ａにアンプ４２−Ｂを介して高調波の交番励磁電流を流し、図４（Ａ）に示すように、ソレノイドコイル４２−Ａに図３に示す限界磁界（Ｈｐ、−Ｈｐ）を超える交番励磁磁界を発生させる。
【００２２】
続いて、セキュリティ媒体１０の長辺部のアモルファス強磁性体層３１−１の側面に磁気ヘッド４０を近づけて、限界磁界（Ｈｐ、−Ｈｐ）を超える交番励磁磁界により大バルクハウゼン現象を起こさせ、アモルファス強磁性体層３１−１から発生する磁束の変化を、図４（Ｂ）に示すように、検出コイル部４１のソレノイドコイル４１−Ａに検出させる。制御部４３は、検出した結果を増幅器４１−Ｂを介して入力し、表示部４４に表示する。
磁気ヘッド４０を図２の矢印Ｂの方向へ移動させることにより、複数枚のセキュリティ媒体１０のアモルファス強磁性体層３１−１を順次検出して、検出結果を検出した順番で表示部４４に表示する。同様にして、短辺部のアモルファス強磁性体層３１−２についても検出し、検出結果を表示する。検出されたデータは、アモルファス強磁性体層３１に記録された真贋情報及び商品券の情報であり、仮に偽造されたセキュリティ媒体が混入していた場合は、その媒体の検出結果の表示は空欄となり、偽物であることを即座に判明させることができる。また、励磁コイル部４２のソレノイドコイル４２−Ａに流す励磁電流を大きくすることにより、非接触（最大約１０ｍｍ）でアモルファス強磁性体層３１の磁束を検出することができる。
【００２３】
以上より、本実施例のセキュリティ媒体又はそれを読み取る磁気ヘッドには以下のような効果がある。
（１）シート状基材２０は、その片面にアモルファス強磁性体層３１を備えているので、特定の磁化特性により真贋判定の情報を記憶させることができ、セキュリティ媒体１０の偽造を防止することができる。
（２）アモルファス強磁性体層３１は、コードパターンが形成されているので、セキュリティ媒体１０の商品券情報（○○デパート券、￥５，０００）を記録させることができる。
（３）アモルファス強磁性体層３１は、シート状基材２０の周縁部の一部又は全部に形成されているので、真贋判定の情報及びコードパターンの情報をシート状基材２０の側面から読み取ることができる。
（４）アモルファス強磁性体層３１は、１５００Åの厚みの薄膜であるので、所望の情報及び／又はコードパターンを最適に読み取ることができる。
（５）アモルファス強磁性体層３１の上にホログラム形成層３２を備えているので、セキュリティ媒体１０は、目視による真贋判定をすることができ、セキュリティ性を向上させることができる。
（６）セキュリティ媒体１０は、着色層３３を備えているので、アモルファス強磁性体層３１を隠蔽することができる。
（７）磁気ヘッド４０は、セキュリティ媒体１０を複数枚束ね、その側面を読み出す検出コイル部４１を備えているので、複数枚のセキュリティ媒体１０の情報を読み取り、効率よく真贋判定をすることができる。
【００２４】
（変形例）
以上説明した実施例に限定されることなく、種々の変形や変更が可能であって、それらも本発明の均等の範囲内である。
（１）実施例では、転写体３０は、シート状基材２０の長辺部及び短辺部の２辺に設けられたが、それ以外の場所に設けてもよい。例えば、記録するデータに応じて、シート状基材２０の周縁部全てに設けることも可能である。
（２）実施例では、転写体３０は、ホログラム形成層３２及び着色層３３を備えていたが、必要に応じて、両者又はどちらか一方を備えなくてもよい。
（３）実施例では、ホログラム形成層３２は、転写体３０に形成されたが、それ以外の場所に形成してもよい。例えば、シート状基材２０上の転写体３０以外の場所に形成することも可能である。
（４）実施例では、磁気ヘッド４０はセキュリティ媒体１０を１枚ずつ読み取ったが、それ以外の方法で読み取ってもよい。例えば、磁気ヘッドに検出コイル部４１及び励磁コイル部４２を複数台設けて、複数枚のセキュリティ媒体１０を同時に読み込ませることも可能である。
【図面の簡単な説明】
【００２５】
【図１】本発明による実施例のセキュリティ媒体を示す模式図である。
【図２】本発明による実施例のセキュリティ媒体及びそれを読み取る磁気ヘッドを示す図である。
【図３】アモルファス合金材及びフェライト材のＢ−Ｈ磁化特性曲線を示す図である。
【図４】本発明による実施例の励磁コイル部及び検出コイル部の励磁及び検出データの一例を示す図である。
【符号の説明】
【００２６】
１０  セキュリティ媒体
２０  シート状基材
３０  転写体
３１  アモルファス強磁性体層
３２  ホログラム形成層
３３  着色層
４０  磁気ヘッド
４１  検出コイル部
【図１】
2007299245.tif 000003
【図２】
2007299245.tif 000004
【図３】
2007299245.tif 000005
【図４】
2007299245.tif 000006